(57)【要約】【課題】天井梁及び床梁に荷重による撓み及び環境温度の変化による撓みが発生した場合に、当該撓みを抑制又は防止することができる梁撓み調整システムを備えた建物を得る。【解決手段】箱状に構成された躯体フレーム２０の天井大梁２６には、歪ゲージ７２が設けられ、床大梁３２には、電動ジャッキ７６が設けられている。そして、歪ゲージ７２は、制御装置１３０に接続されると共に、当該制御装置１３０は、電動ジャッキ７６に接続されている。ここで、制御装置１３０は、歪ゲージ７２の測定データに基づき電動ジャッキ７６を作動させ、床大梁３２を変位させる。これにより、天井大梁２６及び床大梁３２に荷重による撓みや環境温度の変化による撓みが発生した場合に、当該撓みを調整することができる。その結果、天井大梁２６及び床大梁３２に荷重による撓み及び環境温度の変化による撓みが発生した場合に、当該撓みを抑制又は防止することができる。【選択図】図１
2014237958.tif 000002
【特許請求の範囲】
【請求項１】
矩形枠状に配置された天井大梁を含んで構成された天井フレームと、矩形枠状に配置された床大梁を含んで構成された床フレームと、前記天井フレーム及び前記床フレームの対向する隅部同士を繋ぐ柱と、を備えると共に、略箱状に構成された躯体フレームと、
前記天井大梁に設けられ、当該天井大梁に発生した撓みを測定する撓み測定手段と、
前記撓み測定手段が設けられた前記天井大梁と前記躯体フレーム上下方向に対向する前記床大梁の前記躯体フレーム下方側に設けられ、当該床大梁を当該床大梁の撓み方向と逆方向に押し上げ可能な変位装置と、
前記撓み測定手段の測定結果に基づき、前記撓み測定手段が設けられた前記天井大梁が閾値を超えて撓んでいると判断した場合には、前記変位装置を前記床大梁の撓み方向と逆方向に作動させる制御装置と、
を有する梁撓み調整システムを備えた建物。
【請求項２】
前記撓み測定手段は、前記天井大梁及び前記床大梁に設けられており、当該床大梁の前記躯体フレーム下方側に前記変位装置が設けられている、
請求項１記載の梁撓み調整システムを備えた建物。
【請求項３】
前記躯体フレームが、建物高さ方向に積み上げられることにより複数階建ての建物躯体が構築されており、
上階側躯体フレームの前記床大梁と下階側躯体フレームの前記天井大梁とが接合部材により接合されていると共に、
前記撓み測定手段は、前記建物躯体の最上階に配置された前記躯体フレームを構成する前記天井大梁に設けられている、
請求項１又は請求項２記載の梁撓み調整システムを備えた建物。
【請求項４】
矩形枠状に配置された天井大梁を含んで構成された天井フレームと、矩形枠状に配置された床大梁を含んで構成された床フレームと、前記天井フレーム及び前記床フレームの対向する隅部同士を繋ぐ柱と、を備えると共に、略箱状に構成された躯体フレームと、
前記床大梁に設けられ、当該床大梁に発生した撓みを測定する撓み測定手段と、
前記撓み測定手段が設けられた前記床大梁の前記躯体フレーム下方側に設けられ、当該床大梁を当該床大梁の撓み方向と逆方向に押し上げ可能な変位装置と、
前記撓み測定手段の測定結果に基づき、前記撓み測定手段が設けられた前記床大梁が閾値を超えて撓んでいると判断した場合には、前記変位装置を当該床大梁の撓み方向と逆方向に作動させる制御装置と、
を有する梁撓み調整システムを備えた建物。
【請求項５】
前記撓み測定手段としての歪ゲージは、当該歪ゲージが設けられた測定対象梁における上面及び下面の複数箇所に所定の間隔で配置されている、
請求項１〜請求項４のいずれか１項に記載の梁撓み調整システムを備えた建物。
【請求項６】
前記床大梁に接合されると共に前記変位装置に締結部材によって固定され、当該変位装置が作動された場合には、当該床大梁の上面及び下面を一体的に変位させる補強部材を備えている、
請求項１〜請求項５のいずれか１項に記載の梁撓み調整システムを備えた建物。
【請求項７】
前記床大梁と前記補強部材とで矩形枠状の閉断面が形成される、
請求項６記載の梁撓み調整システムを備えた建物。
【請求項８】
前記躯体フレームを支持すると共に、凹部が設けられ、当該凹部に前記変位装置が設置された基礎を備えている、
請求項１〜請求項７のいずれか１項に記載の梁撓み調整システムを備えた建物。
【請求項９】
前記床大梁の前記躯体フレーム下方側には、前記変位装置が設置された土台を備えている、
請求項１〜請求項８のいずれか１項に記載の梁撓み調整システムを備えた建物。
【請求項１０】
前記変位装置は、上下方向に伸縮し、前記床大梁を上下方向に変位させる、
請求項１〜請求項９のいずれか１項に記載の梁撓み調整システムを備えた建物。
【請求項１１】
前記変位装置は、前記床大梁における長手方向の複数箇所に配置されている、
請求項１〜請求項１０のいずれか１項に記載の梁撓み調整システムを備えた建物。
【発明の詳細な説明】
【技術分野】
【０００１】
本発明は、梁撓み調整システムを備えた建物に関する。
【背景技術】
【０００２】
従来、ユニット建物において、２階部分を構成する建物ユニットの床梁の板厚を、１階部分を構成する建物ユニットの天井梁の板厚に対して、相対的に厚く設定することで当該床梁の撓みを抑制することができるユニット建物が知られている（例えば、特許文献１参照）。
【先行技術文献】
【特許文献】
【０００３】
【特許文献１】特開２０１１−１７９３０８号公報（図２）
【発明の概要】
【発明が解決しようとする課題】
【０００４】
しかしながら、上記特許文献１に開示されたユニット建物では、床梁に作用する荷重により発生した当該床梁の撓みを抑制することはできるが、環境温度の変化による膨張又は収縮により発生した当該床梁の撓みを抑制することができない。このため、床梁に環境温度の変化が生じた場合には、当該床梁が撓むことがある。
【０００５】
本発明は上記事実を考慮し、天井梁及び床梁に荷重による撓み及び環境温度の変化による撓みが発生した場合に、当該撓みを抑制又は防止することができる梁撓み調整システムを備えた建物を得ることが目的である。
【課題を解決するための手段】
【０００６】
請求項１に記載の発明に係る梁撓み調整システムを備えた建物は、矩形枠状に配置された天井大梁を含んで構成された天井フレームと、矩形枠状に配置された床大梁を含んで構成された床フレームと、前記天井フレーム及び前記床フレームの対向する隅部同士を繋ぐ柱と、を備えると共に、略箱状に構成された躯体フレームと、前記天井大梁に設けられ、当該天井大梁に発生した撓みを測定する撓み測定手段と、前記撓み測定手段が設けられた前記天井大梁と前記躯体フレーム上下方向に対向する前記床大梁の前記躯体フレーム下方側に設けられ、当該床大梁を当該床大梁の撓み方向と逆方向に押し上げ可能な変位装置と、前記撓み測定手段の測定結果に基づき、前記撓み測定手段が設けられた前記天井大梁が閾値を超えて撓んでいると判断した場合には、前記変位装置を前記床大梁の撓み方向と逆方向に作動させる制御装置と、を有している。
【０００７】
請求項２に記載の発明に係る梁撓み調整システムを備えた建物は、請求項１に記載の発明において、前記撓み測定手段は、前記天井大梁及び前記床大梁に設けられており、当該床大梁の前記躯体フレーム下方側に前記変位装置が設けられている。
【０００８】
請求項３に記載の発明に係る梁撓み調整システムを備えた建物は、請求項１又は請求項２に記載の発明において、前記躯体フレームが、建物高さ方向に積み上げられることにより複数階建ての建物躯体が構築されており、上階側躯体フレームの前記床大梁と下階側躯体フレームの前記天井大梁とが接合部材により接合されていると共に、前記撓み測定手段は、前記建物躯体の最上階に配置された前記躯体フレームを構成する前記天井大梁に設けられている。
【０００９】
請求項４に記載の発明に係る梁撓み調整システムを備えた建物は、矩形枠状に配置された天井大梁を含んで構成された天井フレームと、矩形枠状に配置された床大梁を含んで構成された床フレームと、前記天井フレーム及び前記床フレームの対向する隅部同士を繋ぐ柱と、を備えると共に、略箱状に構成された躯体フレームと、前記床大梁に設けられ、当該床大梁に発生した撓みを測定する撓み測定手段と、前記撓み測定手段が設けられた前記床大梁の前記躯体フレーム下方側に設けられ、当該床大梁を当該床大梁の撓み方向と逆方向に押し上げ可能な変位装置と、前記撓み測定手段の測定結果に基づき、前記撓み測定手段が設けられた前記床大梁が閾値を超えて撓んでいると判断した場合には、前記変位装置を当該床大梁の撓み方向と逆方向に作動させる制御装置と、を有している。
【００１０】
請求項５に記載の発明に係る梁撓み調整システムを備えた建物は、請求項１〜請求項４のいずれか１項に記載の発明において、前記撓み測定手段としての歪ゲージは、当該歪ゲージが設けられた測定対象梁における上面及び下面の複数箇所に所定の間隔で配置されている。
【００１１】
請求項６に記載の発明に係る梁撓み調整システムを備えた建物は、請求項１〜請求項５記載のいずれか１項に記載の発明において、前記床大梁に接合されると共に前記変位装置に締結部材によって固定され、当該変位装置が作動された場合には、当該床大梁の上面及び下面を一体的に変位させる補強部材を備えている。
【００１２】
請求項７に記載の発明に係る梁撓み調整システムを備えた建物は、請求項６記載の発明において、前記床大梁と前記補強部材とで矩形枠状の閉断面が形成されている。
【００１３】
請求項８に記載の発明に係る梁撓み調整システムを備えた建物は、請求項１〜請求項７記載のいずれか１項に記載の発明において、前記躯体フレームを支持すると共に、凹部が設けられ、当該凹部に前記変位装置が設置された基礎を備えている。
【００１４】
請求項９に記載の発明に係る梁撓み調整システムを備えた建物は、請求項１〜請求項７記載のいずれか１項に記載の発明において、前記床大梁の前記躯体フレーム下方側には、前記変位装置が設置された土台を備えている。
【００１５】
請求項１０に記載の発明に係る梁撓み調整システムを備えた建物は、請求項１〜請求項９記載のいずれか１項に記載の発明において、前記変位装置は、上下方向に伸縮し、前記床大梁を上下方向に変位させている。
【００１６】
請求項１１に記載の発明に係る梁撓み調整システムを備えた建物は、請求項１〜請求項１０記載のいずれか１項に記載の発明において、前記変位装置は、前記床大梁における長手方向の複数箇所に配置されている。
【００１７】
請求項１に記載の本発明によれば、矩形枠状に配置された天井大梁を含んで構成された天井フレームと、矩形枠状に配置された床大梁を含んで構成された床フレームと、天井フレーム及び床フレームの対向する隅部同士を繋ぐ柱と、によって略箱状の躯体フレームが構成されている。このため、躯体フレームは、当該躯体フレーム上下方向に対向する天井大梁及び床大梁において、何れか一方に撓みが発生した場合には、何れか他方にも当該撓みと躯体フレーム上下方向に対して対称な撓みが発生する性質を有している。換言すれば、躯体フレーム上下方向に対向する天井大梁及び床大梁は躯体フレーム上下方向に対して互いに対称に変形する。
【００１８】
ここで、本発明では、天井大梁及び床大梁に作用する荷重や環境温度の変化により、当該天井大梁及び当該床大梁に撓みが発生することがある。特に天井大梁の周辺は、直射日光の影響を受けて高温になりやすいため、天井大梁は床大梁に比べ環境温度の上昇による撓みが発生しやすい環境にある。
【００１９】
しかし、本発明では、天井大梁に発生した撓みが当該天井大梁に設けられた撓み測定手段によって測定され、制御装置が当該撓み測定手段の測定結果に基づき、当該天井大梁が閾値を超えて撓んでいるか否かを判断する。そして、制御装置によって天井大梁が閾値を超えて撓んでいると判断された場合には、当該制御装置によって変位装置が作動され、当該天井大梁と躯体フレーム上下方向に対向する床大梁が、当該床大梁の撓み方向と逆方向に変位される。ここで、変位装置によって直接的に変位されるのは床大梁のみであるが、上述したように、躯体フレーム上下方向に対向する天井大梁及び床大梁は、躯体フレーム上下方向に対して互いに対称に変形するので、天井大梁も当該天井大梁の撓み方向と逆方向に変位される。このため、本発明では、天井大梁及び床大梁に荷重による撓みや環境温度の変化による撓みが発生した場合に、当該撓みを調整することができる。
【００２０】
請求項２に記載の本発明によれば、撓み測定手段は、天井大梁及び床大梁に設けられており、当該床大梁の躯体フレーム下方側に変位装置が設けられている。これにより、天井大梁及び床大梁のそれぞれに発生した撓みを測定することができる。
【００２１】
請求項３に記載の本発明によれば、躯体フレームが、建物高さ方向に積み上げられることにより複数階建ての建物躯体が構築されている。ここで、本発明では、上階側躯体フレームの床大梁と下階側躯体フレームの天井大梁とが接合部材により接合されているが、仮に当該床大梁と当該天井大梁とが接合されていない場合には、当該床大梁と当該天井大梁とは互いに独立に撓み変形する。
【００２２】
しかし、本発明では、上階側躯体フレームの床大梁と下階側躯体フレームの天井大梁とが接合部材により接合されており、さらには上述したように、躯体フレーム上下方向に対向する天井大梁及び床大梁は上下方向に対して互いに対称に変形する。このため、本発明では、接合部材によって接合された上階側の床大梁及び下階側の天井大梁を同じ方向に撓み変形させることができ、ひいては、当該床大梁及び当該天井大梁と建物躯体上下方向に連なって配置された全ての天井大梁及び床大梁を相互的に撓み変形させることができる。つまり、本発明では、変位装置によって、上記相互的に撓み変形する全ての天井大梁及び床大梁のうち、建物躯体の最下階を構成する躯体フレームの床大梁を変位させることで、当該全ての天井大梁及び床大梁を変位させることができる。従って、複数階建ての建物躯体において、天井大梁及び床大梁に荷重による撓みや環境温度の変化による撓みが発生した場合に、当該撓みを調整することができる。さらに、本発明では、建物躯体の最上階を構成する躯体フレームの天井大梁に撓み測定手段が設けられている。これにより、直射日光による影響を受けて最も高温になりやすい最上階を構成する躯体フレームにおける天井大梁の撓みを測定することができる。
【００２３】
請求項４に記載の本発明によれば、請求項１に記載の発明と基本的に同様の構成とされ、同様の作用を奏するものの、本発明では、撓み測定手段が床大梁に設けられており、当該床大梁の躯体フレーム下方側に変位装置が設けられている。これにより、床大梁に発生した撓みを測定することができると共に、当該撓み測定手段及び変位装置を当該床大梁に併せて設けることができる。
【００２４】
請求項５に記載の本発明によれば、撓み測定手段としての歪ゲージは、当該歪ゲージが設けられた測定対象梁における上面及び下面に配置されている。これにより、測定対象梁が撓んだ場合には、当該測定対象梁の上面及び下面に配置された歪ゲージのうち一方が引張歪を検出し他方が圧縮歪を検出することができると共に、当該測定対象梁が伸縮した場合には、双方共に引張歪及び圧縮歪のうち一方のみを検出することができる。さらに、本発明では、歪ゲージが複数箇所に所定の間隔で配置されている。これにより、歪ゲージの測定結果の精度を高めることができる。
【００２５】
請求項６に記載の本発明によれば、床大梁に接合されると共に変位装置に締結部材によって固定され、当該変位装置が作動された場合には、当該床大梁の上面及び下面を一体的に変位させる補強部材を備えている。これにより、変位装置の変位力が確実に床大梁に付与されると共に、当該床大梁が補強されることにより、当該変位装置の作動時において当該床大梁の上面及び下面を一体的に変位させることができる。
【００２６】
請求項７に記載の本発明によれば、床大梁と補強部材とで矩形枠状の閉断面が形成される。これにより、床大梁と補強部材とで形成される閉断面における図心と剪断中心とを略一致させることができる。
【００２７】
請求項８に記載の本発明によれば、躯体フレームを支持すると共に、凹部が設けられ、当該凹部に変位装置が設置された基礎を備えている。これにより、基礎に設けられた凹部に変位装置を設置することができる。
【００２８】
請求項９に記載の本発明によれば、床大梁の躯体フレーム下方側には、変位装置が設置された土台を備えている。これにより、床大梁の躯体フレーム下方側に変位装置を安定した状態で設置することができる。
【００２９】
請求項１０に記載の本発明によれば、変位装置は、上下方向に伸縮する。これにより、床大梁を上下方向に変位させることができる。
【００３０】
請求項１１に記載の本発明によれば、変位装置は、床大梁における長手方向の複数箇所に配置されている。これにより、床大梁の複数箇所を変位させることができる。
【発明の効果】
【００３１】
以上説明したように、請求項１に記載の本発明に係る梁撓み調整システムを備えた建物では、天井大梁及び床大梁に荷重による撓み及び環境温度の変化による撓みが発生した場合に、当該撓みを抑制又は防止することができるという優れた効果を有する。
【００３２】
請求項２に記載の本発明に係る梁撓み調整システムを備えた建物では、天井大梁及び床大梁のそれぞれの撓みを測定することができ、その結果、変位装置の変位量を適切に調整することができるという優れた効果を有する。
【００３３】
請求項３に記載の本発明に係る梁撓み調整システムを備えた建物では、複数階建てにされた建物躯体において、天井大梁及び床大梁に荷重による撓み及び環境温度の変化による撓みが発生した場合に、当該撓みを抑制又は防止することができると共に、直射日光の影響による温度上昇によって発生した最上階の天井大梁の撓みが、その他の天井大梁及び床大梁に伝播することを効率よく抑制又は防止することができるという優れた効果を有する。
【００３４】
請求項４に記載の本発明に係る梁撓み調整システムを備えた建物では、請求項１に記載の発明と同様の効果を有するが、当該効果に加え、変位装置及び撓み測定手段の設置作業の効率を向上させることができるという優れた効果を有する。
【００３５】
請求項５に記載の本発明に係る梁撓み調整システムを備えた建物では、制御装置が、測定対象梁に設けられた撓み測定手段としての歪ゲージの測定結果をもとに、当該測定対象梁における撓みの発生の有無及び当該測定対象梁に発生した撓みの方向を精度よく判断することができるという優れた効果を有する。
【００３６】
請求項６に記載の本発明に係る梁撓み調整システムを備えた建物では、変位装置の作業効率を向上させることができると共に、当該変位装置の変位力によって床大梁の下面のみが変形することを抑制又は防止することができるという優れた効果を有する。
【００３７】
請求項７に記載の本発明に係る梁撓み調整システムを備えた建物では、床大梁が変位装置によって変位されるときに、捩じり変形されることを抑制又は防止することができるという優れた効果を有する。
【００３８】
請求項８に記載の本発明に係る梁撓み調整システムを備えた建物では、建物外側から変位装置を見えないようにすることができ、ひいては建物の外観品質を向上させることができるという優れた効果を有する。
【００３９】
請求項９に記載の本発明に係る梁撓み調整システムを備えた建物では、変位装置の設置箇所の自由度を向上させることができるという優れた効果を有する。
【００４０】
請求項１０に記載の本発明に係る梁撓み調整システムを備えた建物では、床大梁が上下方向のどちらの方向に撓んでも撓みを調整することができるという優れた効果を有する。
【００４１】
請求項１１に記載の本発明に係る梁撓み調整システムを備えた建物では、床大梁が長い場合でも当該床大梁を変位させることができるという優れた効果を有する。
【図面の簡単な説明】
【００４２】
【図１】本実施形態に係る梁撓み調整システムを備えた建物を示す斜視図（図１０の１方向矢視図）である。
【図２】本実施形態に係る梁撓み調整システムの概略構成を示すブロック図である。
【図３】（Ａ）は、本実施形態に係る梁撓み調整システムを構成する歪ゲージの天井大梁への取付状態を示す斜視図であり、（Ｂ）は当該天井大梁が撓んだ場合の状態を示す斜視図である。
【図４】本実施形態に係る建物における電動ジャッキ、土台及び基礎の配置を示す模式図である。
【図５】本実施形態に係る梁撓み調整システムを構成する電動ジャッキの構造を示す拡大正面図である。
【図６】本実施形態に係る梁撓み調整システムを構成する電動ジャッキの構造を示す拡大断面図（図５の６−６線に沿って切断した状態を示す断面図）である。
【図７】第１実施形態に係る躯体フレームにおける天井大梁及び床大梁が撓んだ状態を２パターン示す正面図である。
【図８】本実施形態に係る梁撓み調整システムの制御装置で行われる処理の一例を示すフローチャートである。
【図９】本実施形態に係る建物の天井部及び床部の構造を示す断面図（図１０の９−９線に沿って切断した状態を示す断面図）である。
【図１０】本実施形態に係る建物を示す斜視図である。
【図１１】第２実施形態に係る建物の１階側建物ユニットと２階側建物ユニットとの結合部を示す拡大断面図（図１０の１１−１１線に沿って切断した状態を示す断面図）である。
【図１２】第２実施形態に係る建物躯体における天井大梁及び床大梁が撓んだ状態を２パターン示す正面図である。
【発明を実施するための形態】
【００４３】
＜第１実施形態＞
以下、図１〜図１０を用いて、本発明の第１実施形態に係る梁撓み調整システムを備えた建物の一例について説明する。
【００４４】
まず、図９及び図１０を用いて本実施形態に係る建物の全体構造について説明する。図１０に示されるように、本実施形態に係る建物１０は、基礎張り出し部１２Ａ及び基礎本体部１２Ｂから成る基礎１２を備えている。そして、基礎張り出し部１２Ａ上に建物ユニット１４を、基礎本体部１２Ｂ上に複数個の下階側の建物ユニット１６をそれぞれ据え付けた後に、当該下階側の建物ユニット１６上に複数個の上階側の建物ユニット１８を据え付けることにより建物１０が構成されている。
【００４５】
建物ユニット１４を例にとって躯体フレーム２０の構成について説明すると、躯体フレーム２０は、四隅に立設された柱２２と、柱２２の上端部同士を連結する天井フレーム２４と、柱２２の下端部同士を連結する床フレーム３０と、によって略箱状に構成されている。天井フレーム２４は、各々溝形鋼によって構成された長短二種類の天井大梁２６、２８を矩形枠状に配置すると共に、長い方の天井大梁２６の間に図示しない複数の天井小梁が所定の間隔で架け渡されることにより構成されている。また、床フレーム３０も天井フレーム２４と同様の構成とされており、各々溝形鋼によって構成された長短二種類の床大梁３２、３４が矩形枠状に配置され、長い方の床大梁３２の間に図示しない複数の床小梁が所定の間隔で架け渡されることにより構成されている。一方、図９に示されるように、建物外側に配置された床大梁３２の建物下方側には、基礎１２が配置されており、当該床大梁３２の下側フランジ部３２Ｂが、矩形平板状のスペーサ３６、３８を介して当該基礎１２と当接状態とされている。また、基礎１２には、上方に突出されたアンカーボルト４０が設けられており、フランジ部３２Ｂには、当該アンカーボルト４０に対応する貫通孔４２が設けられている。そして、貫通孔４２にアンカーボルト４０が挿通されると共に、当該アンカーボルト４０に上方からナット４４が螺合されることにより、床大梁３２は基礎１２に固定されている。
【００４６】
次に、建物１０の天井部４６及び床部４８の構成について説明する。まず、床部４８の構成について説明すると、開口側を建物内側とされて配置された床大梁３２の上側フランジ部３２Ａには、矩形断面の角材で形成された床下地材５０が、当該フランジ部３２Ａと当接状態で配設されている。そして、床下地材５０の上面部５０Ａに、矩形平板状の床材５２が、当該床材５２の建物外側端部を、当該上面部５０Ａの建物外側端部から建物内側に所定距離離間された状態で、建物ユニット１４の長手方向に沿って所定枚数敷設されることにより床部４８が構成されている。床材５２の仕上げ面５２Ａには、床仕上げ材５４が敷設され、当該床仕上げ材５４の建物外側端部は、建物１０の内壁を構成する内壁パネル５６に当接されている。なお、床仕上げ材５４及び当該内壁パネル５６によって形成される角部には、当該角部に沿って廻り縁６０が配設されている。
【００４７】
次に、天井部４６の構成について説明すると、開口側を建物内側とされて配置された天井大梁２６の下側フランジ部２６Ｂには、矩形平板状の天井下地材６２が当該下側フランジ部２６Ｂに当接状態で配設されている。このとき、天井下地材６２の建物外側端部は建物１０の外壁を構成する外壁パネル５８に当接されている。そして、天井下地材６２の下面部６２Ａに、矩形平板状の天井材６４が、当該天井材６４の建物外側端部を当該下面部６２Ａの略中央に位置された状態で、建物ユニット１４の長手方向に沿って所定枚数敷設されることにより天井部４６が構成されている。天井材６４の仕上げ面６４Ａには、天井仕上げ用の天井クロス６６が張られており、当該天井クロス６６の建物外側端部は、天井材６４及び内壁パネル５６によって形成される角部に沿って配設された廻り縁６０に当接されている。
【００４８】
ここで、図１に示されるように、上述した天井大梁２６の上側フランジ部２６Ａ及び下側フランジ部２６Ｂの複数箇所には、後述する撓み測定手段としての歪ゲージ７２が張り付けられている。また、上述した床大梁３２の下側フランジ部３２Ｂにおける建物下方側には、後述する変位装置としての電動ジャッキ７６が設けられている。そして、本実施形態では、一例として、歪ゲージ７２、電動ジャッキ７６及び後述する制御装置１３０を含んで本発明の要部である梁撓み調整システム７０が構成されている。以下、本発明の要部である梁撓み調整システム７０の構成について詳細に説明する。
【００４９】
図２には、本実施形態に係る梁撓み調整システムの概略構成を示すブロック図が示されている。図２を用いて梁撓み調整システム７０の全体構成について説明すると、梁撓み調整システム７０では、歪ゲージ７２が制御装置１３０の一部を構成するデータロガー１３４に接続されており、当該データロガー１３４は制御装置１３０の一部を構成する制御部１３２に接続されている。そして、制御部１３２は、制御装置１３０の一部を構成するモータドライバ１３６に接続されており、当該モータドライバ１３６には、電動ジャッキ７６が接続されている。なお、電動ジャッキ７６には、建物１０の中に設けられた図示しない電源から、モータドライバ１３６を介し電力が供給されている。
【００５０】
図３（Ａ）に示されるように、本実施形態では、一例として、歪ゲージ７２が、天井大梁２６の上側フランジ部２６Ａ及び下側フランジ部２６Ｂにおける建物上側の面にそれぞれ４枚ずつ、測定軸方向を当該天井大梁２６の長手方向とされて、図示しない接着剤等によって張り付けられている。歪ゲージ７２の張り付け位置は、フランジ部２６Ａ及びフランジ部２６Ｂ部において共通なので、ここでは代表してフランジ部２６Ａにおける歪ゲージ７２の張り付け位置について説明する。歪ゲージ７２のフランジ部２６Ａにおける短手方向の張り付け位置は、当該フランジ部２６Ａの建物外側端部から距離Ｔ１の位置に設定されており、当該距離Ｔ１と当該フランジ部２６Ａの幅寸法Ｔ２との間には、Ｔ２＝２Ｔ１の関係が成立している。また、フランジ部２６Ａの長手方向については、天井大梁２６と柱２２との仕口６８からの距離Ｔ３が５００ｍｍに設定されており、歪ゲージ７２同士の距離Ｔ４は、天井大梁２６の長さによって異なるものの概ね５００〜１０００ｍｍに設定されている。さらに、各歪ゲージ７２の張り付け位置は、フランジ部２６Ａの長手方向の中心について対称な位置となるように設定されている。そして、それぞれの歪ゲージ７２には、リード線７４が接続されており、躯体フレーム２０を構成する柱及び梁に図示しない固定具等によって固定され、当該リード線７４のもう一方の端部がデータロガー１３４に接続されている。なお、図３に示されるフランジ部２６Ａ及びフランジ部２６Ｂは、撓みによる影響が分かりやすいように、板厚が厚くされて表示されている。
【００５１】
データロガー１３４は、建物１０の内部に設けられ、リード線７４を介して歪ゲージ７２に接続されると共に当該歪ゲージ７２の測定結果を記録可能な構成とされており、所定時間毎に当該測定結果が記録されるように設定されている。また、データロガー１３４には、図示しないインジケータが設けられており、当該インジケータには全ての歪ゲージ７２の所定時間毎の測定データが表示されるようになっている。なお、断線等によって、歪ゲージ７２が測定結果を送信できなくなった場合には、インジケータにおける当該歪ゲージ７２の測定データの表示部分には、「ＥＲＲＯＲ」等の文字及び記号が表示されるように設定されている。そして、データロガー１３４に蓄積されたデータは、制御部１３２に送信されるようになっている。
【００５２】
制御部１３２は、主に二つの機能を有しており、第一の機能は、制御部１３２に記録されている歪の基準値Ｓとデータロガー１３４の測定データをもとに電動ジャッキ７６を作動させるか否かを決定すると共にモータドライバ１３６に作動命令を送信する機能、第二の機能は、歪の基準値Ｓを決定する機能である。なお、制御部１３２では、データロガー１３４のインジケータに「ＥＲＲＯＲ」と表示された歪ゲージ７２の測定結果は用いられない。
【００５３】
まず、第一の機能について説明すると、本実施形態では、制御部１３２が、第一の演算として、歪の基準値Ｓとデータロガー１３４の測定データとの差を所定時間毎に計算する。歪の基準値Ｓとデータロガー１３４の測定データとの差が３０μとなった場合には、第二の演算として、フランジ部２６Ａ及びフランジ部２６Ｂに発生した歪の値の正負が異なるかをどうか判定する。そして、フランジ部２６Ａ及びフランジ部２６Ｂに発生した歪の値の正負が異なっていた場合には、制御部１３２が、モータドライバ１３６に電動ジャッキ７６の作動命令を送信する構成とされている。換言すれば、制御部１３２は、歪の基準値Ｓと測定データとの差が３０μとなると共に、フランジ部２６Ａ及びフランジ部２６Ｂのどちらか一方に発生した歪が引張歪で他方に発生した歪が圧縮歪だった場合に電動ジャッキ７６を作動させるようになっている。
【００５４】
次に、第二の機能について説明する。ここで、歪の基準値Ｓは、予め測定された天井大梁２６における歪のデータであり、当該歪の基準値Ｓは、気温の影響を少なくするために毎日リセットされることが好ましい。詳しく説明すると、夏季等気温が高い時期では、冬季等気温が低い時期に比べ、天井大梁２６は膨張しており、歪の基準値Ｓを気温が低いときに測定した値に継続的に設定すると、測定された歪の値は歪の基準値Ｓよりも大きくなることが多くなり、制御部１３２が第二の演算を行う回数が増加する。しかしながら、気温が高い状況下では、躯体フレーム２０全体が膨張し、天井大梁２６に大きな歪が発生していても、撓みは発生していないことがあり得るので、この場合の制御部１３２における第二の演算は無駄な作業となることがある。これは、冬季等気温が低い時期において、気温が高いときに測定したデータが歪の基準値Ｓとして設定されていた場合も同様である。そこで、本実施形態では、季節ごとの気温の較差ひいては毎日の気温の較差による影響を少なくするために、一日の平均気温となりやすい午前９時に制御部１３２に記録されている歪の基準値Ｓを毎日リセットし、当該時刻の測定データが新規に歪の基準値Ｓとされるように設定されている。なお、この歪の基準値Ｓは、状況に応じ適宜変更することができる。
【００５５】
モータドライバ１３６は、上述したように制御部１３２及び図示しない電源に接続されており、当該制御部１３２から電動ジャッキ７６の作動命令を受信した場合には、当該電動ジャッキ７６の後述する駆動部１１４を構成するモータ１１６に電力を供給し、当該電動ジャッキ７６を作動させるようになっている。なお、モータドライバ１３６は、制御部１３２から電動ジャッキ７６の作動命令が送信されなくなった場合には、モータ１１６への電力供給を速やかに停止し、電動ジャッキ７６が停止されるように設定されている。
【００５６】
図４〜図６を用いて電動ジャッキ７６の配置箇所及び構成について説明する。まず、図４を用いて電動ジャッキ７６の配置箇所の一例について説明すると、当該電動ジャッキ７６は、全ての床大梁３２の建物下方側に設けられていると共に、当該床大梁３２の長手方向中央を支持している。このうち、建物下方側に基礎１２が設けられている床大梁３２に設けられた電動ジャッキ７６は、当該基礎１２上に配置されている。一方、建物下方側に基礎１２が設けられていない床大梁３２に設けられた電動ジャッキ７６は、当該床大梁３２の建物下方側に設けられると共にコンクリート等で形成された土台１４２上に配置されている。なお、図５及び図６に示されるように、基礎１２には、平面視で上辺が長く設定されかつ下辺が短く設定された台形状に形成されると共に、奥行き寸法をＬ１、深さ寸法をＬ２に設定された凹部１４０が設けられており、電動ジャッキ７６は、当該凹部１４０の底面部１４０Ａにボルト１３８で固定されている。また、電動ジャッキ７６の幅寸法Ｗと凹部１４０の奥行き寸法Ｌ１との間には、Ｗ＜Ｌ１の関係が成立している。さらに、電動ジャッキ７６の高さ寸法Ｈ、凹部１４０の深さ寸法Ｌ２及び床大梁３２と基礎１２の上面１３との間隙寸法ｄの間には、Ｈ＝Ｌ２＋ｄの関係が成立していると共に、間隙寸法ｄは床大梁３２と基礎１２が干渉しない程度に小さな値に設定されている。
【００５７】
また、床大梁３２の電動ジャッキ７６に支持されている箇所には、フランジ部３２Ａとフランジ部３２Ｂとの間に、溝形鋼によって構成されると共に長手方向の両端部に上下方向に貫通されたネジ穴１２８Ａが設けられた補強部材１２８が挟持されかつ接合されている。そして、フランジ部３２Ａ、３２Ｂには当該ネジ穴１２８Ａと対応する貫通孔３３が設けられており、後述する電動ジャッキ７６のアッパーベース８８側から締結部材としての長ボルト１１０を螺入し、フランジ部３２Ａ側から締結部材としてのナット１０８が締め付けられることにより、アッパーベース８８、床大梁３２及び補強部材１２８が一体的に締結されている。このとき、床大梁３２と補強部材１２８とで形成される断面は、長ボルト１１０に対して対称な矩形枠状の閉断面とされている。なお、補強部材１２８の代わりに、フランジ部３２Ａ及びフランジ部３２Ｂにそれぞれタップドプレートを接合する構成としてもよい。
【００５８】
次に、図５を用いて電動ジャッキ７６の構成を説明すると、電動ジャッキ７６は、大きくはジャッキ部７８及び駆動部１１４によって構成されている。まず、ジャッキ部７８について説明すると、ジャッキ部７８は、２本のアッパーアーム８０、８２、２本のロアアーム８４、８６、アッパーベース８８及びロアベース１００によって、基本的にはパンタグラフ機構として構成されている。
【００５９】
ロアベース１００は、矩形厚板材で形成されると共に四隅に図示しない貫通孔が設けられた板材９０と、平面視で台形状の平板によって形成されると共に長手方向の両端部に図示しない貫通孔が設けられ、当該板材９０の上面に所定の間隔をあけて立設された２枚の平板９２と、によって構成されている。なお、上述したように、ボルト１３８が、板材９０の貫通孔に挿通されると共に当該基礎１２に螺入されることにより、電動ジャッキ７６の下部が基礎１２に固定されている。また、アッパーベース８８は、矩形厚板材で形成され、四隅に図示しない貫通孔が設けられた板材１０２と、矩形平板によって形成されると共に長手方向の両端部に図示しない貫通孔が設けられ、当該板材１０２の上面に所定の間隔をあけて立設された２枚の平板１０４と、によって構成されている。なお、上述したように、板材１０２が床大梁３２に当接された状態で、長ボルト１１０が、板材１０２の貫通孔に挿通されると共に床大梁３２に螺入されることにより、電動ジャッキ７６の上部が床大梁３２に固定されている。
【００６０】
アッパーアーム８０、８２はそれぞれ溝形鋼によって構成されており、フランジ部の両端には図示しない貫通孔が設けられると共にウェブ部の両端が切り欠かれている。ロアアーム８４、８６は、幅以外はアッパーアーム８０、８２と同様の設定とされている。すなわち、ロアアーム８４、８６を構成する溝形鋼は、フランジ部の両端に図示しない貫通孔が設けられ、ウェブ部の両端が切り欠かれていると共にアッパーアーム８０、８２と同じ長さに設定されているが、当該溝形鋼の内幅は、アッパーアーム８０、８２を構成する溝形鋼の外幅と等しい長さに設定されている。そして、ピン（締結部材）１１２が、アッパーアーム８０、８２の一端に設けられた貫通孔及びアッパーベース８８に設けられた貫通孔に挿通されて当該２本のアッパーアームがアッパーベース８８に連結されている。また、これと同様に、ロアアーム８４、８６の一端がロアベース１００に連結されている。さらに、アッパーアーム８０の他端とロアアーム８４の他端とが連結されると共に、アッパーアーム８２の他端とロアアーム８６の他端とが連結されることによりジャッキ部７８が構成されている。このとき、アッパーアーム８０とロアアーム８４との連結部には後述するナットブロック１２０が介在されており、アッパーアーム８２とロアアーム８６との連結部には後述するガイドブロックが介在されている。
【００６１】
次に、駆動部１１４について説明すると、駆動部１１４は、モータ１１６、ギアボックス１１８、ナットブロック１２０、スクリューシャフト１２２及び図示しないガイドブロックによって構成されている。モータ１１６は、外形形状を円筒形とされた電動モータであり、図示しない出力軸を備えている。当該出力軸には、図示しない小径ギアが取り付けられており、当該小径ギアは、ギアボックス１１８に収納されている。また、アッパーアーム８０のフランジ部の間には、矩形状のブロック材で構成されたナットブロック１２０が配設されており、当該ナットブロック１２０は、その両側面に、図示しない嵌合孔が設けられると共に前面から背面まで貫通するネジ穴が設けられている。そして、ジョイントピン（締結部材）１２６が、アッパーアーム８０の貫通孔及びロアアーム８４の貫通孔に挿通された後に当該嵌合孔に嵌合されることにより、アッパーアーム８０、ロアアーム８４及びナットブロック１２０が、回転可能に連結されている。一方、ガイドブロックは、矩形状のブロック材で構成され、両側面に嵌合孔が設けられると共に前面から背面まで貫通する貫通孔が設けられたブロック部と、当該ブロック部からモータ１１６側に延出された延出部とを備え、上面視でＬ字状に構成されている。なお、当該ブロック部は、アッパーアーム８２のフランジ部の間に配設されている。そして、当該ブロック部には、ナットブロック１２０と同様に、アッパーアーム８２及びロアアーム８６が回転可能に連結されている。加えて、ガイドブロックの延出部には、図示しないベアリングが設けられており、前述したモータ１１６の出力軸が当該ベアリングに挿通されると共にモータ１１６が当該延出部に図示しない固定部材によって固定され、当該延出部は、モータ１１６と小径ギアに挟まれた状態とされている。また、ナットブロック１２０に設けられたネジ穴及びガイドブロックのブロック部に設けられた貫通孔には、モータ１１６側の先端部を除いて雄ネジが切られているスクリューシャフト１２２が挿通されている。スクリューシャフト１２２の図示しないモータ１１６側の先端部には、図示しない大径ギアが取り付けられており、モータ１１６の出力軸に取り付けられた小径ギアと係合されると共に当該小径ギアと同様にギアボックス１１８に収納されている。
【００６２】
上述のように構成された電動ジャッキ７６は、モータ１１６にモータドライバ１３６から電力が供給されると、当該モータ１１６の出力軸が回動され、当該出力軸に取り付けられた小径ギア及び当該小径ギアに係合された大径ギアを有するスクリューシャフト１２２が回動されるようになっている。スクリューシャフト１２２には、ナットブロック１２０が係合されているので、アッパーアーム８０及びロアアーム８４と当該ナットブロック１２０との連結部は、スクリューシャフト１２２の回動により、モータ１１６側に対し近接又は離間されるようになっている。このため、電動ジャッキ７６は、建物上下方向に図５に示される位置を基準の位置として、建物上方向にＤ１、建物下方向にＤ２伸縮される構成とされている。
【００６３】
次に、本実施形態の作用・効果について説明する。
【００６４】
本実施形態では、図１０に示されるように、建物ユニット１４の躯体を構成する躯体フレーム２０は、四隅に立設された柱２２と、柱２２の上端部同士を連結する天井フレーム２４と、柱２２の下端部同士を連結する床フレーム３０と、によって略箱状に構成されている。このため、躯体フレーム２０は、図７に示されるように、建物上下方向に対向する天井大梁２６及び床大梁３２において、何れか一方に撓みが発生した場合には、何れか他方にも当該撓みと建物上下方向に対して対称な撓みが発生する性質を有している。つまり、図７（Ａ）に示されるように、天井大梁２６に下側に凸となる撓みが発生した場合には、床大梁３２に上側に凸となる撓みが発生し、図７（Ｂ）に示されるように、天井大梁２６に上側に凸となる撓みが発生した場合には、床大梁３２に下側に凸となる撓みが発生する。
【００６５】
ところで、天井大梁２６及び床大梁３２に作用する荷重や環境温度の変化により、当該天井大梁２６及び当該床大梁３２に撓みが発生することがある。このとき、図９に示されるように、天井大梁２６と天井材６４とは、天井下地材６２を介して接触されているので、天井大梁２６の撓みが天井材６４に伝播し、当該天井材６４が撓むと共に当該天井材６４の仕上げ面６４Ａに張られた天井クロス６６に切れ等の損傷が生じることがある。また、床大梁３２及び床材５２も床下地材５０を介して接触されており、床大梁３２の撓みが床材５２に伝播し、当該床材５２の仕上げ面５２Ａに敷設された床仕上げ材５４と内壁パネル５６とがこすれて床鳴りが生じることがある。なお、これらの現象は、天井大梁２６及び床大梁３２に、発生した撓みによる歪の大きさが３０μ以上となる当該撓みが発生したときに起こりやすい。
【００６６】
しかしながら、本実施形態では、上述したように梁撓み調整システム７０を備えている。これにより、天井大梁２６及び床大梁３２に荷重による撓みや環境温度の変化による撓みが発生した場合でも当該撓みを調整することができる。以下、図８に示されるフローチャートを用いて、梁撓み調整システム７０の動作手順の一例を示す。なお、梁撓み調整システム７０は、図８に示されるフローチャートに限らず他の手順により行われてもよい。
【００６７】
例えば、荷重の影響や環境温度の変化による影響を受けて、天井大梁２６が図３（Ｂ）に示されるように撓んだとする。このとき、ステップ１５０にて天井大梁２６に張り付けられた歪ゲージ７２の測定データと制御部１３２に記録された歪の基準値Ｓとが比較され、当該測定データと歪の基準値Ｓとの差が求められる（Ｓ１５０）。そして、測定データと歪の基準値Ｓとの差が３０μ以上であるかを判定し（Ｓ１５２）、測定データと歪の基準値Ｓとの差が３０μ未満であった場合には、再びステップ１５０に戻る。
【００６８】
一方、測定データと歪の基準値Ｓとの差が３０μ以上であった場合には、次に、ステップ１５４にて天井大梁２６における上側フランジ部２６Ａに発生した歪の値と、下側フランジ部２６部に発生した歪の値とで、正負が異なるかが判定される（Ｓ１５４）。そして、フランジ部２６Ａ及びフランジ部２６Ｂに発生した歪の値の正負が同じであった場合には、ステップ１５０に戻る。
【００６９】
一方、フランジ部２６Ａ及びフランジ部２６Ｂに発生した歪の値の正負が異なる場合には、ステップ１５６にてモータドライバ１３６からモータ１１６に電力が供給されると共に電動ジャッキ７６が作動され（Ｓ１５６）、床大梁３２が変位される。このとき、フランジ部３２Ａとフランジ部３２Ｂとの間には、補強部材１２８が挟持されているので、フランジ部３２Ａ及びフランジ３２Ｂは一体的に変位される。
【００７０】
ここで、フランジ部２６Ａに発生した歪の値及びフランジ部２６Ｂに発生した歪の値において、どちらが正の値（負の値）であるかによって電動ジャッキ７６の作動方向が異なる。この点について詳しく説明すると、例えば、天井大梁２６が図７（Ａ）に示されるように下側に凸となって撓んだとすると、フランジ部２６Ａに発生する歪は圧縮歪となり、当該歪を歪ゲージ７２で測定すると負の値を示す。一方、フランジ部２６Ｂに発生する歪は引張歪となり、当該歪を歪ゲージ７２で測定すると正の値を示す。そして、このとき、床大梁３２は上側に凸となって撓んでいるので、電動ジャッキ７６が下方向に作動されることにより、床大梁３２に発生した撓みが矯正され、ひいては、天井大梁２６に発生した撓みが矯正される。つまり、フランジ部２６Ａに張り付けられた歪ゲージ７２の測定データが負の値である場合には、電動ジャッキ７６が下方向に作動されることで、天井大梁２６及び床大梁３２に発生した撓みが矯正される。同様に、図７（Ｂ）に示されるように、天井大梁２６が上側に凸となって撓んでいる場合すなわちフランジ部２６Ａに張り付けられた歪ゲージ７２の測定データが正の値である場合には、電動ジャッキ７６が上方向に作動されることで天井大梁２６及び床大梁３２に発生した撓みが矯正される。なお、いずれの場合であっても、全ての歪ゲージ７２の測定データと歪の基準値Ｓとの差が３０μ未満となるか、当該測定データが全て正の値又は負の値となるまで、電動ジャッキ７６は作動され続ける。
【００７１】
このように、本実施形態では、建物１０の一部を構成する躯体フレーム２０が、略箱状に構成されていると共に、梁撓み調整システム７０を備えている。これにより、天井大梁２６及び床大梁３２に荷重による撓みや環境温度の変化による撓みが発生した場合に、当該撓みを調整することができる。その結果、天井大梁２６及び床大梁３２に荷重による撓み及び環境温度の変化による撓みが発生した場合に、当該撓みを抑制又は防止することができると共に、当該撓みによって発生する天井クロス６６の損傷及び床鳴りを抑制又は防止することができる。
【００７２】
また、本実施形態では、歪ゲージ７２が、天井大梁２６の上側フランジ部２６Ａ及び下側フランジ部２６Ｂの複数箇所に所定の間隔で配置されている。これにより、天井大梁２６が撓んだ場合には、フランジ部２６Ａ及びフランジ部２６Ｂに配置された歪ゲージ７２のうち一方が引張歪を検出し他方が圧縮歪を検出することができると共に、天井大梁２６が伸縮した場合には、双方共に引張歪及び圧縮歪のうち一方のみを検出することができる。その上、本実施形態では、歪ゲージ７２がフランジ部２６Ａ及びフランジ部２６Ｂの複数箇所に所定の間隔で配置されているので、歪ゲージ７２の測定結果の精度を高めることができる。その結果、制御部１３２が、天井大梁２６に設けられた歪ゲージ７２の測定結果をもとに、天井大梁２６における撓みの発生の有無及び当該天井大梁２６に発生した撓みの方向を精度よく判断することができる。
【００７３】
また、本実施形態では、床大梁３２の上フランジ部３２Ａ及び下フランジ部３２Ｂに挟持されかつ接合されると共に、電動ジャッキ７６に長ボルト１１０によって固定されている補強部材１２８を備えている。これにより、電動ジャッキ７６の変位力が確実に床大梁３２に付与されると共に、床大梁３２が補強されることにより、電動ジャッキ７６の作動時においてフランジ部３２Ａ及びフランジ部３２Ｂを一体的に変位させることができる。その結果、電動ジャッキ７６の作業効率を向上させることができると共に、電動ジャッキ７６の変位力によってフランジ部３２Ｂのみが変形することを抑制又は防止することができる。
【００７４】
また、本実施形態では、床大梁３２と補強部材１２８とで矩形枠状の閉断面が形成される。これにより、床大梁３２と補強部材１２８とで形成される閉断面における図心と剪断中心とを略一致させることができ、その結果、床大梁３２が電動ジャッキ７６によって変位されるときに、捩じり変形されることを抑制又は防止することができる。
【００７５】
また、本実施形態では、基礎１２に凹部１４０が設けられ、当該凹部１４０に電動ジャッキ７６が設置されている。これにより、建物外側から電動ジャッキ７６を見えないようにすることができ、ひいては建物１０の外観品質を向上させることができる。
【００７６】
また、本実施形態では、床大梁３２の建物下方側には、土台１４２が設けられており、当該土台１４２には、電動ジャッキ７６が設置されている。これにより、床大梁３２の建物下方側に電動ジャッキ７６を安定した状態で設置することができ、その結果、電動ジャッキ７６の設置箇所の自由度を向上させることができる。
【００７７】
加えて、本実施形態では、電動ジャッキ７６は、上下方向に伸縮する。これにより、床大梁３２を上下方向に変位させることができ、その結果、床大梁３２が上下方向のどちらの方向に撓んでも撓みを調整することができる。
【００７８】
＜第２実施形態＞
次に、図１０〜図１２を用いて、本発明に係る建物の第２実施形態について説明する。なお、前述した第１実施形態と同一構成部分については、同一の番号を付してその説明を省略する。
【００７９】
これらの図に示されるように、この第２実施形態では、梁撓み調整システム７０が多階層の建物躯体において全ての躯体フレーム２０に適用されている点に第１の特徴がある。また、下階側の躯体フレーム２０の天井大梁２６と上階側の躯体フレーム２０の床大梁３２との間に接合部材２００が設けられている点に第２の特徴がある。
【００８０】
まず、図１０を用いて、躯体フレーム２０の配置の一例を示すと、図１０に示されるように、建物ユニット１６及び建物ユニット１８の躯体フレーム２０は、建物上下方向に連なって配置され、２階建ての建物の躯体を構成している。
【００８１】
図１１には、建物１０の１階側建物ユニット１６と２階側建物ユニット１８との結合部が示されている。図１１に示されるように、１階側の躯体フレーム２０における天井大梁２６の上側フランジ部２６Ａと２階側の躯体フレーム２０における床大梁３２の下側フランジ部３２Ｂとの間には、接合部材２００が接合されている。接合部材２００は、フランジ部２６Ａの幅と等しい幅に設定されると共に長さをフランジ部２６Ａの長手方向の長さと等しい長さに設定された矩形平板によって構成されており、幅方向の中心に沿って複数箇所に図示しない貫通孔が設けられている。また、当該貫通孔に対応する図示しない貫通孔が、フランジ部３２Ｂ及びフランジ部２６Ａに設けられており、これらの貫通孔にフランジ部２６Ａ側からボルト２０２を挿通させ、ナット２０４を締め付けることにより、フランジ部３２Ｂとフランジ部２６Ａとが接続されている。なお、天井大梁２６のフランジ部２６Ａとフランジ部２６Ｂとの間や床大梁３２のフランジ部３２Ａとフランジ３２Ｂとの間に溝形鋼等を接合して補強してもよい。
【００８２】
また、本実施形態では、歪ゲージ７２が、２階建ての建物躯体を構成する躯体フレーム２０における全ての天井大梁２６及び床大梁３２に張り付けられている。
【００８３】
次に、本実施形態の作用・効果について説明する。
【００８４】
本実施形態では、２階建ての建物躯体を構成する全ての躯体フレーム２０において梁撓み調整システム７０が適用されている。このため、本実施形態でも、前述した第１実施形態と同様の作用・効果が得られる。
【００８５】
加えて、本実施形態では、１階側の天井大梁２６と２階側の床大梁３２が接合部材２００によって接続されているので、１階側の天井大梁２６と２階側の床大梁３２を同じ方向に撓み変形させることができ、ひいては、当該天井大梁２６及び当該床大梁３２と建物上下方向に連なって配置された全ての天井大梁２６及び床大梁３２を相互的に撓み変形させることができる。ここで、図１２を用いて、多階層における天井大梁及び床大梁の撓み変形の一例を説明する。図１２（Ａ）に示されるように、２階側の躯体フレーム２０の天井大梁２６に下側に凸となる撓みが発生した場合には、２階側の躯体フレーム２０の床大梁３２に上側に凸となる撓みが発生する。そして、２階側の躯体フレーム２０の床大梁３２と１階側の躯体フレーム２０の天井大梁２６とは、接合部材２００によって接合されているため、当該天井大梁２６にも上側に凸となる撓みが発生すると共に、当該撓みの発生により１階側の床大梁３２にも下側が凸となる撓みが発生する。つまり、１階側の天井大梁２６、１階側の床大梁３２、２階側の天井大梁２６及び２階側の床大梁３２のそれぞれに発生する撓みは互いに関連している。なお、図１２（Ｂ）は、別の変形パターンを例示したものである。
【００８６】
従って、本実施形態では、１階側の天井大梁２６と２階側の床大梁３２が同じ方向に撓み変形されることにより、当該天井大梁２６及び当該床大梁３２と建物上下方向に連なって配置された全ての天井大梁２６及び床大梁３２が相互的に撓み変形される。つまり、本実施形態では、１階側の床大梁３２の撓みが電動ジャッキ７６によって矯正されることにより、当該床大梁３２と建物上下方向に連なって配置された全ての天井大梁２６及び床大梁３２が矯正される。
【００８７】
このように、本実施形態では、躯体フレーム２０が、建物高さ方向に積み上げられることにより複数階建ての建物躯体が構築されており、上階側躯体フレーム２０の床大梁３２と下階側躯体フレーム２０の天井大梁２６とが接合部材２００により接合されている。これにより、複数階建ての建物躯体において、天井大梁２６及び床大梁３２に荷重による撓みや環境温度の変化による撓みが発生した場合に、当該撓みを調整することができる。その結果、複数階建てにされた建物躯体において、天井大梁及び床大梁に荷重による撓み及び環境温度の変化による撓みが発生した場合に、当該撓みを抑制又は防止することができると共に、当該撓みによって発生する天井クロス６６の損傷及び床鳴りを抑制又は防止することができる。
【００８８】
また、本実施形態では、歪ゲージ７２が、全ての天井大梁２６及び床大梁３２に張り付けられている。これにより、天井大梁２６及び床大梁３２のそれぞれの撓みを測定することができ、その結果、電動ジャッキ７６の変位量を適切に調整することができる。
【００８９】
さらに、本実施形態では、歪ゲージ７２が建物躯体の最上階に配置された躯体フレーム２０を構成する天井大梁２６に設けられている。これにより、直射日光による影響を受けて最も高温になりやすい最上階を構成する躯体フレーム２０における天井大梁２６の撓みを測定することができ、その結果、直射日光の影響による温度上昇によって発生した最上階の天井大梁２６の撓みが、その他の天井大梁２６及び床大梁３２に伝播することを効率よく抑制又は防止することができる。
【００９０】
＜上記実施形態の補足説明＞
【００９１】
（１）  上述した第１実施形態では、歪ゲージ７２が、天井大梁２６のみに張り付けられる構成としたが、床大梁３２のみに歪ゲージ７２を張り付ける構成としてもよい。これにより、歪ゲージ７２及び電動ジャッキ７６を当該床大梁３２に併せて設けることができ、その結果、電動ジャッキ７６及び歪ゲージ７２の設置作業の効率を向上させることができる。
【００９２】
（２）  上述した第２実施形態では、２階建ての建物躯体に梁撓み調整システム７０が適用される構成としたが、２階建て以上の多階層の建物躯体に適用してもよい。
【００９３】
（３）  上述した実施形態では、床大梁３２の建物下方側に電動ジャッキ７６を一つ設ける構成としたが、当該床大梁３２における長手方向の複数箇所に電動ジャッキ７６を設ける構成としてもよい。これにより、床大梁３２の複数箇所を変位させることができ、その結果、床大梁３２が長い場合でも当該床大梁３２を変位させることができる。
【００９４】
（４）  また、上述した実施形態では、床大梁３４の建物下方側に電動ジャッキ７６が設けられていないが、躯体フレーム２０が大きい場合には、床大梁３４の建物下方側に電動ジャッキ７６を設ける構成としてもよい。
【００９５】
（５）  さらに、上述した実施形態では、歪ゲージ７２によって測定された歪そのものの値によって、電動ジャッキ７６の作動条件が設定されているが、制御装置１３０によって、天井大梁２６及び床大梁３２に発生した撓みの撓み量を計算し、当該撓み量に基づき電動ジャッキ７６を作動させてもよい。一例として、制御装置１３０は、天井大梁２６及び床大梁３２の形状及び歪ゲージ７２の取付位置等のデータが予め入力され、当該データと歪ゲージ７２の測定データとによって、撓み量を計算し、当該撓み量の分だけ電動ジャッキ７６を変位させる構成としてもよい。
【００９６】
（６）  さらにまた、上述した実施形態では、撓み測定手段を歪ゲージ７２としたが、これに限らず、レーザー距離計及び反射シール等を撓み測定手段として用いてもよい。一例として、天井大梁２６や床大梁３２のウェブ部における長手方向の中心線に沿って反射シールを複数枚張り付け、当該反射シールの変位量をレーザー距離計によって測定することで、天井大梁２６や床大梁３２の撓み量を求める構成としてもよい。
【００９７】
（７）  加えて、上述した実施形態では、電動ジャッキ７６に使用するモータの種類には言及されていないが、サーボモータやステッピングモータ等種々のモータを使用することができる。また、電動ジャッキ７６の代わりにシリンダや空気ばね等を用いてもよい。
【００９８】
（８）  さらに加えて、上述した実施形態では、電動ジャッキ７６の周りに適宜吸音材等を設ける構成としてもよい。
【符号の説明】
【００９９】
１０      建物
１２      基礎
２０      躯体フレーム
２２      柱
２４      天井フレーム
２６      天井大梁
２８      天井大梁
３０      床フレーム
３２      床大梁
３４      床大梁
７０      梁撓み調整システム
７２      歪ゲージ（撓み測定手段）
７６      電動ジャッキ（変位装置）
１０８    ナット（締結部材）
１１０    ボルト（締結部材）
１２８    補強部材
１３０    制御装置
１３２    制御部（制御装置）
１３４    データロガー（制御装置）
１３６    モータドライバ（制御装置）
１４０    凹部
１４２    土台
２００    接合部材
【図１】
2014237958.tif 000003
【図２】
2014237958.tif 000004
【図３】
2014237958.tif 000005
【図４】
2014237958.tif 000006
【図５】
2014237958.tif 000007
【図６】
2014237958.tif 000008
【図７】
2014237958.tif 000009
【図８】
2014237958.tif 000010
【図９】
2014237958.tif 000011
【図１０】
2014237958.tif 000012
【図１１】
2014237958.tif 000013
【図１２】
2014237958.tif 000014